(57)【特許請求の範囲】
【請求項１】
監視対象に設置され警備スケジュールに従って当該監視対象の警備を行う警備装置と、遠隔の監視センタに設置され通信網を介して複数の前記警備装置と接続されるセンタ装置とを有する警備システムであって、
前記警備装置は、
所定期間における各日について予め定められた基本的な警備スケジュールである基本スケジュールと、当該基本スケジュールにおける各日のうちのある特定の日について前記基本スケジュールの代わりに用いる一時的な警備スケジュールである臨時スケジュールとを、それぞれ区別して記憶するスケジュール記憶部と、
警備を行う日が前記特定の日である場合には、前記臨時スケジュールに従って前記監視対象の警備を行い、前記特定の日でない場合には、前記基本スケジュールに従って前記監視対象の警備を行う監視制御を実行する監視制御部と、
を備え、
前記センタ装置は、
前記警備装置についての臨時スケジュールの入力を受け付ける入力受付部と、
前記臨時スケジュールの入力があると、前記警備装置に対して当該臨時スケジュールを送信して登録を要請する登録要請部と、
を備え、
前記警備装置は、さらに
前記センタ装置から送信された前記臨時スケジュールを、前記基本スケジュールと区別して前記スケジュール記憶部に登録するスケジュール登録部を備えることを特徴とする警備システム。
【請求項２】
前記入力受付部は、前記警備装置について前記臨時スケジュールの削除または修正を受け付け、
前記登録要請部は、前記臨時スケジュールの削除または修正があると、削除または修正された前記臨時スケジュールを前記警備装置に対して送信して登録を要請し、
前記スケジュール登録部は、削除または修正された前記臨時スケジュールを前記スケジュール記憶部に登録する、請求項１に記載の警備システム。
【請求項３】
前記センタ装置は、
前記複数の警備装置の各々について、当該警備装置により提供される警備サービスの情報を記憶する警備サービス記憶部と、
前記警備サービスの情報に基づいて、入力された前記臨時スケジュールが前記警備装置により提供される警備サービスに使用されるか否かを判定する判定部と、
を備え、
前記登録要請部は、前記入力された臨時スケジュールが前記警備装置により提供される警備サービスに使用されると判定された場合に、当該臨時スケジュールを前記警備装置に対して送信して登録を要請する、請求項１または請求項２に記載の警備システム。
【請求項４】
監視対象に設置され警備スケジュールに従って当該監視対象の警備を行う警備装置であって、
前記警備装置は、
所定期間における各日について予め定められた基本的な警備スケジュールである基本スケジュールと、当該基本スケジュールにおける各日のうちのある特定の日について前記基本スケジュールの代わりに用いる一時的な警備スケジュールである臨時スケジュールとを、それぞれ区別して記憶するスケジュール記憶部と、
警備を行う日が前記特定の日である場合には、前記臨時スケジュールに従って前記監視対象の警備を行い、前記特定の日でない場合には、前記基本スケジュールに従って前記監視対象の警備を行う監視制御を実行する監視制御部と、
遠隔のセンタ装置にて前記臨時スケジュールの入力があった場合に、前記センタ装置から前記警備装置に送信された前記臨時スケジュールを前記基本スケジュールと区別して前記スケジュール記憶部に登録するスケジュール登録部と、
を備えることを特徴とする警備装置。
【発明の詳細な説明】
【技術分野】
【０００１】
本発明は、監視対象に設置される警備装置と遠隔の監視センタに設置されるセンタ装置とを有する警備システムに関し、特に、警備スケジュールに従って警備装置で監視対象の警備を行う技術に関する。
【背景技術】
【０００２】
従来から、建物などの警備を行う警備システムとして、“警戒モード”と“解除モード”という二つの警備モードを有する警備システムが用いられている。警戒モードは、監視対象を警戒状態とするモードであり、解除モードは、監視対象を未警戒状態とするモードである。
【０００３】
監視対象の建物を最後に退館するユーザが、警備システムを操作して警備モードを警戒モードに設定することで、無人となった監視対象の建物は警戒状態となる。この警戒モードの設定操作を忘れてしまうと、未警戒状態のまま放置されてしまう。そこで、予め登録された警戒スケジュールに従って、警戒モードの自動設定や、解除モードの放置（無警戒異常）を監視する警備システムが提案されている。
【０００４】
例えば、従来の警備システムでは、退館予定の時刻（警備開始予定時刻）等が予め定められた通常の警備スケジュール（基本スケジュール）が予め設定されており、警備開始予定時刻が到来したときに建物内が無人であれば自動的に警戒モードに設定され、警備開始予定時刻が過ぎても解除モードのままの場合には、無警戒異常を知らせる監視センタへの通知が行われる（特許文献１参照）。
【先行技術文献】
【特許文献】
【０００５】
【特許文献１】特開２０１０−２１８２８１号公報
【発明の概要】
【発明が解決しようとする課題】
【０００６】
しかしながら、従来の警備システムでは、ある特定の日（翌日以降の先の日）について、通常と異なる一時的な警備スケジュール（臨時スケジュール）を登録したり、その一時的な警備スケジュール（臨時スケジュール）を削除・修正したりすることは想定されていない。
【０００７】
また、従来の警備システムでは、当日、警備開始予定時刻の到来を知らせるガイダンス中に、警備装置側で延長登録の操作（警備開始予定時刻を延長する操作）が可能であるが、警備装置の操作に不慣れなユーザは警備センタへ直接電話して警備開始の延長を申請する必要があり、そのような場合には、監視センタで受け付けた一時的な警備スケジュール（臨時スケジュール）を警備装置側へ反映させる必要がある。
【０００８】
本発明は、上記の課題に鑑みてなされたもので、臨時スケジュールの登録などを容易に行うことができ、ユーザの要請に沿った適切な監視制御を行うことのできる警備システムを提供することを目的とする。
【課題を解決するための手段】
【０００９】
本発明の警備システムは、監視対象に設置され警備スケジュールに従って当該監視対象の警備を行う警備装置と、遠隔の監視センタに設置され通信網を介して複数の警備装置と接続されるセンタ装置とを有する警備システムであって、警備装置は、所定期間について予め定められた各日の基本的な警備スケジュールである基本スケジュールと、ある特定の日について基本スケジュールの代わりに用いる一時的な警備スケジュールである臨時スケジュールとを、それぞれ区別して記憶するスケジュール記憶部と、警備を行う日が特定の日である場合には、臨時スケジュールに従って監視対象の警備を行い、特定の日でない場合には、基本スケジュールに従って監視対象の警備を行う監視制御を実行する監視制御部と、を備え、センタ装置は、警備装置についての臨時スケジュールの入力を受け付ける入力受付部と、臨時スケジュールの入力があると、警備装置に対して当該臨時スケジュールを送信して登録を要請する登録要請部と、を備え、警備装置は、さらに、センタ装置から送信された臨時スケジュールを、スケジュール記憶部に登録するスケジュール登録部を備えている。
【００１０】
この構成により、監視装置は、特定の日（臨時スケジュールが設定された日）には、その臨時スケジュールに従って監視対象の警備を行い、特定の日以外の日（臨時スケジュールが設定されていない日）には、基本スケジュールに従って監視対象の警備を行う。センタ装置が臨時スケジュールの入力を受け付けると、その臨時スケジュールが監視装置に送信されて登録される。監視装置は、その臨時スケジュールに従って監視対象の警備を行う。このようにして、臨時スケジュールの登録を容易に行うことができ、ユーザの要請に沿った適切な監視制御を行うことができる。
【００１１】
また、本発明の警備システムでは、入力受付部は、警備装置について臨時スケジュールの削除または修正を受け付け、登録要請部は、臨時スケジュールの削除または修正があると、削除または修正された臨時スケジュールを警備装置に対して送信して登録を要請し、スケジュール登録部は、削除または修正された臨時スケジュールをスケジュール記憶部に登録してもよい。
【００１２】
この構成により、センタ装置が臨時スケジュールの削除または修正を受け付けると、削除または修正された臨時スケジュールが監視装置に送信されて登録される。監視装置は、その削除または修正された臨時スケジュールに従って監視対象の警備を行う。このように、基本スケジュールとは別に登録されている臨時スケジュールを独立して削除・修正できるため、臨時スケジュールの削除・修正を容易に行うことができる。
【００１３】
本発明の警備システムは、センタ装置は、複数の警備装置の各々について、当該警備装置により提供される警備サービスの情報を記憶する警備サービス記憶部と、警備サービスの情報に基づいて、入力された臨時スケジュールが警備装置により提供される警備サービスに使用されるか否かを判定する判定部と、を備え、登録要請部は、警備装置により提供される警備サービスに使用されると判定された場合に、臨時スケジュールを警備装置に対して送信して登録を要請してもよい。
【００１４】
この構成により、入力された臨時スケジュールが警備装置により提供される警備サービスに使用されるか否かを判定し、警備サービスに使用されるものである場合には、臨時スケジュールを警備装置に対して送信して登録を要請する。警備サービスに使用されるものでない場合には、臨時スケジュールを警備装置に対して送信しない。このようにして、実際に警備サービスに使用される臨時スケジュールのみを警備装置に送信するようにすることができる。
【００１５】
本発明の警備装置は、監視対象に設置され警備スケジュールに従って当該監視対象の警備を行う警備装置であって、警備装置は、所定期間について予め定められた各日の基本的な警備スケジュールである基本スケジュールと、ある特定の日について基本スケジュールの代わりに用いる一時的な警備スケジュールである臨時スケジュールとを、それぞれ区別して記憶するスケジュール記憶部と、警備を行う日が特定の日である場合には、臨時スケジュールに従って監視対象の警備を行い、特定の日でない場合には、基本スケジュールに従って監視対象の警備を行う監視制御を実行する監視制御部と、遠隔の監視センタに設置され通信網を介して警備装置に接続されたセンタ装置において、警備装置について臨時スケジュールの入力があった場合に、センタ装置から警備装置に送信された臨時スケジュールをスケジュール記憶部に登録するスケジュール登録部と、を備えている。
【００１６】
この構成により、監視装置は、特定の日（臨時スケジュールが設定された日）には、その臨時スケジュールに従って監視対象の警備を行い、特定の日以外の日（臨時スケジュールが設定されていない日）には、基本スケジュールに従って監視対象の警備を行う。センタ装置が臨時スケジュールの入力を受け付けると、その臨時スケジュールが監視装置に送信されて登録される。監視装置は、その臨時スケジュールに従って監視対象の警備を行う。このようにして、臨時スケジュールの登録を容易に行うことができ、ユーザの要請に沿った適切な監視制御を行うことができる。
【発明の効果】
【００１７】
本発明によれば、臨時スケジュールの登録などを容易に行うことができ、ユーザの要請に沿った適切な監視制御を行うことができる。
【図面の簡単な説明】
【００１８】
【図１】本発明の実施の形態における警備システムの構成を示すブロック図である。
【図２】本発明の実施の形態における基本スケジュールの例を示す図である。
【図３】本発明の実施の形態における臨時スケジュールの例を示す図である。
【図４】本発明の実施の形態における警備スケジュールの設定処理の流れを示すフロー図である。
【図５】本発明の実施の形態における解除モードにおける警備処理の流れを示すフロー図である。
【図６】本発明の実施の形態における警戒モードにおける警備処理の流れを示すフロー図である。
【発明を実施するための形態】
【００１９】
以下、本発明の実施の形態の警備システムについて、図面を用いて説明する。本実施の形態では、監視対象の建物等を警備する警備システムの場合を例示する。
【００２０】
本発明の実施の形態の警備システムの構成を、図面を参照して説明する。図１は、本実施の形態の警備システムを示すブロック図である。図１に示すように、警備システム１は、建物などの監視対象に設置される警備装置２と、遠隔の監視センタに設置されるセンタ装置３を有している。警備装置２は、警備スケジュールに従って監視対象の警備を行う装置である。センタ装置３は、インターネットなどの通信網４を介して複数の警備装置２と接続されている。
【００２１】
＜警備装置＞
まず、警備装置２の構成について説明する。警備装置２は、スケジュール記憶部５と制御部６と操作表示部７と報知部８を備えている。スケジュール記憶部５には、基本スケジュールと臨時スケジュールがそれぞれ区別して記憶されている。基本スケジュールは、所定期間について予め定められた各日の基本的な警備スケジュールである。臨時スケジュールは、ある特定の日について基本スケジュールの代わりに用いる一時的な警備スケジュールである。
【００２２】
ここで、図面を参照しながら、基本スケジュールと臨時スケジュールについて、詳しく説明しておく。図２は、基本スケジュールの一例を示す図である。図２に示した例では、カレンダーの日付ごとに警備スケジュールが定められている。警備スケジュールには、警備予定時間の情報（例えば、２０：００〜７：００）と解除禁止時間の情報（例えば、１：００〜５：００）が含まれる。警備スケジュールの起点時刻は、適宜選択することができるが、ここでは９：００を起点時刻として、一日（９：００〜翌９：００）の警備スケジュールが設定される。
【００２３】
警備予定時間は、警備装置２による警備（監視）を行う予定の時間である。監視対象の建物から全員が退館している（警戒セットモードに設定されている）と予定されている時間であるともいえる。警備予定時間は、警備予定時間帯（例えば、２０：００〜７：００）でもよく、警備開始予定時刻（例えば、２０：００〜）でもよい。
【００２４】
解除禁止時間は、解除モードに設定することが禁止される時間帯である。通常、監視対象の建物に入館する必要がないと考えられる時間帯であるともいえる。この時間帯（例えば、１：００〜５：００）は、たとえ入館資格を持った人物でも警戒セット状態を解除してはならず、警戒解除モードが設定されたことは入館異常として監視される。
【００２５】
なお、基本スケジュールは、図２の例に限られるものではなく、例えば、曜日ごとに警備スケジュールが定められていてもよい。具体的には、基本スケジュールは、例えば、月曜日から金曜日の警備予定時間が２０：００〜７：００、解除禁止時間が１：００〜５：００であり、土曜日と日曜日の警備予定時間と解除禁止時間が２４時間（９：００〜翌９：００）などであってもよい。基本スケジュールは、定休日や営業日などの営業形態に応じて適宜設定することができる。
【００２６】
図３は、臨時スケジュールの例を示す図である。図３に示すように、臨時スケジュールは、残業・休日出勤・振替休業などの理由により、ある特定の日（当日でもよく、翌日以降の日でもよい）について基本スケジュールの代わりに用いる一時的な警備スケジュールである。
【００２７】
例えば、図３（ａ）の例では、４日は３：００まで残業することになったために、通常の警備スケジュール（警備予定時間２０：００〜７：００、解除禁止時間１：００〜５：００）が、一時的な警備スケジュール（警備予定時間３：００〜７：００、解除禁止時間３：００〜５：００）に変更されている。このとき、警備予定時間を３：００に延長する旨の入力に伴い、解除禁止時間の開始時刻も連動して３：００に変更される。また、図３（ｂ）の例では、休日である２３日に出勤することになったため、通常の警備スケジュール（警備予定時間２４Ｈ、解除禁止時間２４Ｈ）が、一時的な警備スケジュール（警備予定時間２０：００〜７：００、解除禁止時間１：００〜５：００）に変更されている。このとき、警備予定時間および解除禁止時間をそれぞれ入力させるのではなく、警備予定時間２０：００〜７：００の入力に連動させて、解除禁止時間を同一時間帯に設定してもよい。また、図３（ｃ）の例では、休日出勤した翌日（２４日）が振替休業になったため、通常の警備スケジュール（警備予定時刻２０：００〜７：００、解除禁止時間１：００〜５：００）が、一時的な警備スケジュール（警備予定時間２４Ｈ、解除禁止時間２４Ｈ）に変更されている。
【００２８】
図１に戻って、警備装置２の構成の説明を続ける。制御部６は、モード設定部９と異常判定部１０と監視制御部１１とスケジュール登録部１２を備えている。モード設定部９は、ユーザ操作により警備装置２の動作モードを設定する。警備装置２の動作モードには、無人時に監視エリアの侵入監視を行う“警戒モード”と、侵入監視を行わない“解除モード”が含まれる。
【００２９】
警戒モードとは、センサ１３から検知信号が入力されると、監視対象の異常検出（侵入者あり）と判定し、センタ装置３に異常通報するモードである。一方、解除モードとは、センサ１３からの検知信号が入力されても、監視対象の異常検出とせず、異常通報しないモードである。この場合、センサ１３は、扉や窓の開閉を検知する開閉センサや、人体が発する熱線を検知する空間センサなどがある。なお、火災センサや非常ボタンによる検知信号は常時監視されており、いずれの動作モードであっても異常通報される。
【００３０】
例えば、監視対象の建物を最後に退館する最後のユーザがＩＤカードでユーザ認証をするとともに警戒セット操作を行うことで、警戒モードに設定される。また、監視対象の建物に入館する最初のユーザがＩＤカードでユーザ認証をする（とともに警戒解除操作を行う）ことで、警戒モードが解除され、解除モードが設定される。
【００３１】
異常判定部１０は、センサ１３からの検知信号を受信すると、現在の動作モードに基づいて異常の有無を判定する。例えば、異常判定部１０は、警戒モードに設定されているときに、センサ１３からの検知信号を受信すると異常と判定する一方、解除モードに設定されているときに、センサ１３からの検知信号を受信しても異常と判定しない。また、異常判定部１０は、いずれの動作モードに設定されていても、火災センサや非常ボタンによる検知信号を受信すると異常と判定する。
【００３２】
監視制御部１１は、スケジュール記憶部５に記憶された基本スケジュール及び臨時スケジュールに従って警備装置２の動作を制御する。その際、各日について基本スケジュールまたは臨時スケジュールを実行対象として選択的に設定する。具体的には、警備を行う日が特定の日（臨時スケジュールが設定された日）である場合には、臨時スケジュールに従って監視対象の警備を行い、特定の日でない場合には、基本スケジュールに従って監視対象の警備を行う監視制御を実行する。
【００３３】
スケジュール登録部１２は、操作表示部７の操作によって警備スケジュールの入力があると、基本スケジュールと臨時スケジュールとを区別してスケジュール記憶部５に登録する。また、スケジュール登録部１２は、センタ装置３から送信された警備スケジュールを受信すると、基本スケジュールと臨時スケジュールとを区別してスケジュール記憶部５に登録する。
【００３４】
操作表示部７は、例えば、タッチパネル等で構成される。操作表示部７は、警戒モードや解除モードを設定するために操作される操作部としての機能と、操作のガイドやメニュー表示を行う表示部としての機能を備えている。また、操作表示部７は、ユーザの認証情報（ＩＤカード情報や、生体認証情報など）を読み取るための読取部としての機能を備えてもよい。報知部８は、例えば、スピーカ等で構成され、利用者へ各種のガイダンスを音声出力する。
【００３５】
＜センタ装置＞
つぎにセンタ装置３の構成について説明する。図１に示すように、センタ装置３は、表示部１４と操作部１５とセンタ記憶部１６と制御部１７を備えている。表示部１４は、例えばディスプレイなどで構成され、監視対象の監視カメラ画像や各種情報（警戒モード／解除モード、異常あり／異常なしなど）を表示する。操作部１５は、例えばキーボードやマウスなどで構成され、各種情報の入力などに用いられる。
【００３６】
センタ記憶部１６には、監視対象の建物（物件）に関する情報が物件情報として記憶されている。物件情報には、その物件の警備スケジュール（基本スケジュール、臨時スケジュール）、警備状態（警戒モード／解除モード）、監視状態（異常あり／異常なし）、警備装置２により提供される警備サービスなどの情報が含まれる。このセンタ記憶部１６は、本発明の警備サービス記憶部に相当する。
【００３７】
警備装置２により提供される警備サービスには、例えば、“自動セットサービス”、“解除入館サービス”、“解除ミス判定サービス”などが含まれる。自動セットサービスとは、警備開始予定時刻（例えば２２：００）になると、その監視対象が無人であれば自動的に警戒モードにセットするサービスである。その場合、自動的に警戒モードにセットする所定時間前（例えば１５分前）に、その監視対象の建物内に残っているユーザに対して退館ガイダンス（退館をすすめるガイダンス）が報知される。
【００３８】
解除入館サービスとは、解除禁止時間帯（例えば１：００〜５：００）に警戒モードが解除されたことを判定するサービスである。なお、解除モードへ移行したことを示す信号を警備装置２から受信して、センタ装置３でこの判定をすることも可能である。また、解除モードに移行したときに、その入館者に対して入館異常ガイダンス（例えば、監視センタへの連絡や、監視センタからの電話に応答するように促すガイダンス）を報知してもよい。
【００３９】
解除ミス判定サービスとは、警備予定時間帯でない時間帯（例えば７：００〜２２：００）に、侵入異常が検知された直後に解除操作がなされた場合、ユーザによる解除ミスの可能性があると判定し、解除ミスを示すガイダンス（例えば、監視センタへの連絡や、監視センタからの電話に応答するように促すガイダンス）を報知するサービスである。なお、解除ミス判定サービスは、上記の“警備予定時間帯でない時間帯”ではなく、“解除禁止時間帯でない時間帯”に行ってもよい。または、出勤時間帯（例えば７：００〜９：００）を警備時間情報として扱い、出勤時間帯の解除ミスを対象としてもよい。
【００４０】
制御部１７は、入力受付部１８と登録要請部１９と判定部２０を備えている。入力受付部１８は、警備装置２についての臨時スケジュールの入力・削除・修正を受け付ける。登録要請部１９は、操作部１５の操作または外部からのデータ入力により臨時スケジュールの入力・削除・修正があると、入力・削除・修正された臨時スケジュールを警備装置２に対して送信して登録を要請する。警備装置２のスケジュール登録部１２は、センタ装置３からの要請を受けて、入力・削除・修正された臨時スケジュールをスケジュール記憶部５に登録する。
【００４１】
判定部２０は、警備サービスの情報に基づいて、入力された臨時スケジュールが警備装置２により提供される警備サービスに使用されるか否かを判定する。登録要請部１９は、警備装置２により提供される警備サービスに使用されると判定された場合にのみ、臨時スケジュールを警備装置２に対して送信して登録を要請する。すなわち、警備装置２により提供される警備サービスに使用されないと判定された場合には、臨時スケジュールを警備装置２に対して送信しない。
【００４２】
以上のように構成された警備システム１について、図面を参照してその動作を説明する。
【００４３】
＜警備スケジュールの設定処理＞
まず、警備スケジュールの設定処理について説明する。図４は、警備スケジュールの設定処理の流れを示すフロー図である。図４に示すように、所定の起点時刻（例えば９：００）になると、その日の警備スケジュールを読み込んで（Ｓ１）、臨時スケジュールが設定されているか否かを判定する（Ｓ２）。判定の結果、臨時スケジュールが設定されている場合には、臨時スケジュールの警備時間情報を設定し（Ｓ３）、臨時スケジュールが設定されていない場合には、基本スケジュールの警備時間情報を設定する（Ｓ４）。そして、当日、新たに臨時スケジュールの変更があった場合には（Ｓ５）、その新たな臨時スケジュールの警備時間情報に切り替える（Ｓ６）。このステップ５とステップ６を、翌日の起点時間が到来するまで繰り返す（Ｓ７）。
【００４４】
このようにして、警備装置２は、毎日、起点時刻（例えば９：００）になるとこの処理を実行し、当日の警備スケジュールを設定する。警備装置２は、臨時スケジュールが設定されている日（特定の日）であれば、臨時スケジュールに従って監視制御を行い、臨時スケジュールが設定されていない日であれば、基本スケジュールに従って監視制御を行う。また、警備装置２は、当日になって、残業のため延長操作がなされた場合、すなわち、臨時スケジュールが更新された場合には、その臨時スケジュールを割り込みで実行する。
【００４５】
＜臨時スケジュールの設定・更新処理＞
次に、臨時スケジュールの設定・更新処理について説明する。ユーザは、電話などによって監視センタへ警備スケジュールの一時的な変更を申請することができる。ユーザから電話があった場合には、監視センタで臨時スケジュールの登録が行われる。登録された臨時スケジュールは、センタ装置３のセンタ記憶部１６に記憶されるとともに、警備装置２へ送信されてスケジュール記憶部５にも登録される。
【００４６】
センタ装置３の判定部２０では、変更された警備スケジュールが、その物件に提供されている警備サービスに使用されるものか否かを判定する。例えば、残業により警備開始予定時刻を延長（例えば、２２：００から２３：００に延長）する場合、自動セットサービスがその物件に提供されているか否かを判定する。自動セットサービスが提供されていれば、変更された臨時スケジュールを警備装置２へ送信する。
【００４７】
センタ装置３の判定部２０は、変更された警備スケジュールが、その物件の警備装置２に使用されるものであるか否かを判定してもよい。例えば、早朝出勤により解除禁止時間帯に入館する場合、入館異常を監視センタで監視し、ガイダンス報知を物件で行わないのであれば、変更された臨時スケジュールを警備装置２へ送信しなくてもよい。
【００４８】
なお、上記のようなセンタ装置３の判定部２０による判定は、必ずしも必要ではなく、省略することもできる。また、臨時スケジュールの入力・修正は、警備装置２で行うことも可能である。その場合、入力・修正された臨時スケジュールは、センタ装置３へ送信される。
【００４９】
＜基本スケジュールの更新処理＞
次に、基本スケジュールの更新処理について説明する。監視センタでは、ユーザからの申請に基づいて、定期的に、基本スケジュール（所定期間分の基本スケジュール）を作成・登録する。警備装置２は、定期的に、または、基本スケジュールの残り期間が短くなると、更新された基本スケジュールの有無を監視センタへ問い合わせる。更新された基本スケジュールがある場合には、センタ装置３から警備装置２へ更新された基本スケジュールが送信され、警備装置２のスケジュール記憶部５に記憶される。また、監視センタで基本スケジュールが修正された場合には、センタ装置３から警備装置２へ更新された基本スケジュールが直ちに送信され、警備装置２のスケジュール記憶部５に記憶される。なお、曜日ごとの警備スケジュールを基本スケジュールとする場合には、定期的な更新を不要としてもよい。
【００５０】
本実施の形態の警備装置２では、基本スケジュールと臨時スケジュールが区別して記憶されている。したがって、警備装置２が、更新された基本スケジュール、または、修正された基本スケジュールを受信した場合でも、基本スケジュールのみを追加あるいは更新することになり、臨時スケジュールが上書きされることはない。
【００５１】
なお、警備装置２で、修正された基本スケジュールと、すでに登録されている臨時スケジュールとの整合性を確認してもよい。例えば、ある火曜日に早朝出勤の臨時スケジュールが登録されている場合、火曜日の基本スケジュールが平日扱いから休日扱いになった場合には、基本スケジュールと臨時スケジュールが互いに矛盾するため、警備装置２でアラートを発する等の処理を実行してもよい。この整合性の確認の処理は、センタ装置３で実行してもよい。
【００５２】
＜解除モードにおける警備処理＞
つぎに、解除モードにおける警備処理について説明する。図５は、解除モードにおける警備処理の流れを示すフロー図である。図５に示すように、警備装置２は、解除モードに移行している場合、警備開始予定時刻の所定時間前（例えば１０分前）になると（Ｓ１０）、退館を促す予告ガイダンスを出力する（Ｓ１１）。ユーザによる延長操作があった場合には（Ｓ１２）、当日の臨時スケジュールを変更する（Ｓ１３）。一方、延長操作がなかった場合、所定時間以内に警戒セット操作があったか否かを判定する（Ｓ１４）。所定時間以内に警戒セット操作があった場合には、警戒モードを設定し（Ｓ１５）、セット信号をセンタ装置３に送信する（Ｓ１６）。
【００５３】
所定時間以内に警戒セット操作がなされず警備開始予定時刻が到来した場合、センサ１３の検知情報を用いて、監視対象である建物が無人であるか否かを判定する（Ｓ１７）。例えば、すべてのセンサ１３が人体を検知しなかった場合、無人であると判定する。なお、センサ１３による非検知状態が警備開始予定時刻の所定時間前から継続している場合に無人であると判定してもよい。また、別途、システムで出入管理を行っている場合には、入退室の操作履歴から、無人であるか否かの判定をすることも可能である。また、監視対象の建物内の電子機器や照明等の操作・動作履歴から、無人であるか否かの判定をすることも可能である。
【００５４】
無人であると判定された場合には、警戒モードを自動設定して（Ｓ１８）、自動セット信号をセンタ装置３へ送信する（Ｓ１９）。無人でないと判定された場合には、センタ装置３に無警戒異常を示す信号（無警戒異常信号）を送信するとともに（Ｓ２０）、監視対象の建物内に警備開始予定時刻が過ぎていることを残留者に報知するための未セットガイダンスを出力する（Ｓ２１）。なお、無警戒異常信号を送信した後、警戒セットの操作が行われた場合には、警戒モードを設定して異常復旧する。
【００５５】
なお、この警備装置２は、警備開始予定時刻になっていない場合でも（Ｓ１０）、警戒セット操作が行われると（Ｓ２２）、警戒モードを設定し（Ｓ１５）、セット信号をセンタ装置３に送信する（Ｓ１６）。
【００５６】
上記の例では、自動セットを行う例について説明したが、自動セットは必ずしも行わなくてもよい。その場合、警備開始予定時刻になったときに解除モードである場合には、未セットガイダンスを出力するとともに、無警戒異常信号をセンタ装置３に送信する。
【００５７】
また、警備装置２で無警戒異常信号の送信を行わず、センタ装置３で無警戒異常を判定してもよい。その場合、センタ装置３では、警備開始予定時刻になっても解除モードのままである警備装置２を抽出し、その警備装置２が無警戒異常であると判定する。
【００５８】
＜警戒モードにおける警備処理＞
つぎに、警戒モードにおける警備処理について説明する。図６は、警戒モードにおける警備処理の流れを示すフロー図である。図６に示すように、警備装置２は、警戒モードに移行している場合、解除操作が行われたか否かの判定を行う（Ｓ３０）。解除操作が行われていない場合、センサ１３が異常を検出（センサ発報）していれば（Ｓ３１）、警備装置２は、侵入異常をセンタ装置３へ送信するとともに（Ｓ３２）、報知部８を駆動して周囲に警報を出力する（Ｓ３３）。
【００５９】
解除操作が行われた場合、解除禁止時間帯でなければ（Ｓ３４）、警備装置２は、解除モードを設定し（Ｓ３５）、センタ装置３に解除信号を送信する（Ｓ３６）。一方、解除禁止時間帯であれば（Ｓ３４）、警備装置２は、センタ装置３に入館異常を送信するとともに（Ｓ３７）、監視対象の建物内に入館異常ガイダンスを出力する（Ｓ３８）。
【００６０】
このように警備装置２は、通常の異常監視のほか、解除禁止時間帯における入館異常（解除異常）の監視も行う。解除異常は、監視センタもしくは警備員による正常確認により、復旧される。解除異常は、センタ装置３で判定してもよい。その場合、センタ装置３は、警備装置２から解除信号を受信したときに、その物件の解除禁止時間帯を参照して解除異常であるか否かを判定する。
【００６１】
このような本実施の形態の警備システム１によれば、監視装置は、その日が特定の日であるか否かを判定して実行対象のスケジュールを設定し、特定の日（臨時スケジュールが設定された日）には、その臨時スケジュールに従って監視対象の警備を行い、特定の日以外の日（臨時スケジュールが設定されていない日）には、基本スケジュールに従って監視対象の警備を行う。センタ装置３が臨時スケジュールの入力を受け付けると、その臨時スケジュールが監視装置に送信されて登録される。監視装置は、その臨時スケジュールに従って監視対象の警備を行う。このようにして、臨時スケジュールの登録を容易に行うことができ、ユーザの要請に沿った適切な監視制御を行うことができる。
【００６２】
また、本実施の形態では、センタ装置３が臨時スケジュールの削除または修正を受け付けると、削除または修正された臨時スケジュールが警備装置２に送信される。警備装置２では臨時スケジュールを基本スケジュールとは区別して独立に記憶しているため、記憶されている臨時スケジュールを受信した新たな臨時スケジュールによって更新登録する。警備装置２は、その削除または修正された臨時スケジュールに従って監視対象の警備を行う。このようにして、臨時スケジュールの削除・修正を容易に行うことができる。
【００６３】
また、本実施の形態では、入力された臨時スケジュールが警備装置２により提供される警備サービスに使用されるか否かを判定し、警備サービスに使用されるものである場合には、臨時スケジュールを警備装置２に対して送信して登録を要請する。警備サービスに使用されるものでない場合には、臨時スケジュールを警備装置２に対して送信しない。このようにして、実際に警備サービスに使用される臨時スケジュールのみを警備装置２に送信するようにすることができる。
【００６４】
以上、本発明の実施の形態を例示により説明したが、本発明の範囲はこれらに限定されるものではなく、請求項に記載された範囲内において目的に応じて変更・変形することが可能である。
【産業上の利用可能性】
【００６５】
以上のように、本発明にかかる警備システムは、臨時スケジュールの登録などを容易に行うことができ、ユーザの要請に沿った適切な監視制御を行うことができるという効果を有し、監視対象の建物等を警備する警備システム等として有用である。
【符号の説明】
【００６６】
１  警備システム
２  警備装置
３  センタ装置
４  通信網
５  スケジュール記憶部
６  制御部
７  操作表示部
８  報知部
９  モード設定部
１０  異常判定部
１１  監視制御部
１２  スケジュール登録部
１３  センサ
１４  表示部
１５  操作部
１６  センタ記憶部
１７  制御部
１８  入力受付部
１９  登録要請部
２０  判定部
【図１】
0006440988.tif 000002
【図２】
0006440988.tif 000003
【図３】
0006440988.tif 000004
【図４】
0006440988.tif 000005
【図５】
0006440988.tif 000006
【図６】
0006440988.tif 000007